(57)【要約】      （修正有）【課題】一般の満空表示板を大きく変えることなく、簡単に低コストで空車室の残りが少なくなっていることを利用者に伝える駐車場の表示装置を提供する。【解決手段】一定数の車室を有し、車室への入庫を検知する装置と、総車室数を記憶したデータ表と、総車室数から入庫した車室数を引いた残車室数を計算する機能を持った精算機５と、満車と空車を表示する表示板６，７を有する時間貸駐車場において、残車室数を表すデジタルデータ、あるいは残車室数で変化するアナログデータを、パルス変換装置１０とリレー装置１１によって残車室数によって変わるパルス幅やパルス間隔でオンオフする電圧に変化させ、該電圧によって満空表示板の空車表示を、残車室数に応じて点滅させる。満空表示板の近傍に設けた点滅灯の点灯間隔を残車室数に応じて変化させるのが好ましい。【選択図】図２
0003194204.tif 000002
【実用新案登録請求の範囲】
【請求項１】
一定数の車室を有し、車室への入庫を検知する装置と、総車室数を記憶したデータ表と、総車室数から入庫した車室数を引いた残車室数を計算する機能を持った精算機と、満車と空車を表示する表示板を有する時間貸駐車場において、残室数数に応じて、その残車室数の大小を空車表示の点滅間隔を変化させることによって表示する表示装置
【請求項２】
請求項１の時間貸し駐車場において、満空の表示板に近傍に点滅灯を設け、残車室がある場合にその数に応じて点滅灯の点灯間隔を変化させることを特徴とした表示装置
【考案の詳細な説明】
【技術分野】
【０００１】
本考案は、フラップ型の時間貸し駐車場において、利用できる空車室数が少なくなってきていることを表示する表示装置に関する。
【背景技術】
【０００２】
大型のゲート式の駐車場においては、ブロックごとあるいは階床ごとに、満車、空車の表示装置が設けられている。また、個々の車室にフラップ型の退出防止装置を備えた時間貸し駐車場においても、満車、空車を表示する表示装置が駐車場入口付近に設置されている。大型の駐車場では、車室数が多いので、この2種類の表示だけでも利用者にとってさして不便はない。
【０００３】
しかし、車室の数が例えば１０ないし２０台のような中小規模の駐車場では、満車空車の表示だけでは、空車室の数がわからないので、例えば、空車の表示を見て仲間で複数の車両を駐車しようとした時、途中で満車になってしまって、残りの車両は別の駐車場を探さなければならないような不便が生じる。
【０００４】
従って、空車室がある場合には、その空車室数を何らかの形で表示する装置があると便利である。
【先行技術文献】
【特許文献】
【０００５】
【特許文献１】特開平０７−２２０１９６号
【非特許文献】
【０００６】
【非特許文献１】実用新案第３０１８１８２号
【非特許文献２】実開平０３−８２４９９号
【０００７】
特許文献１では、多階式駐車場において、駐車車両検出にLEDの光の遮蔽を利用した方法と、検出結果を元にして、各階床の空車室数を算出し、その結果を各階の入口に空車と空車室数を同時に表示する方法が開示されている。
【０００８】
非特許文献１では、ゲート式の駐車場において、入場する車両と出場する車両をセンサーで検知して、場内に残る車両数を求め、その数を駐車場の収容車両数から差し引いて空車室の数を計算し、駐車場入口で現在何台の駐車が可能かを数値表示する装置が示されている。
【０００９】
また、非特許文献２には、多階床式駐車場で、各階の空車率がどれくらいあるかを円グラフで表示する方法が開示されている。
【００１０】
一方、中小規模のフラップ装置を備えた時間貸し駐車場では、精算機が個々の車室への車両の入出庫を検知するセンサーの情報を元に、個々の車室に駐車した車両に対し駐車時間に応じた駐車料金を課金している。精算機は、総車室数から現在の駐車中の車両数を引き算して空車室の数に関するデータを保持しているのはもちろんのこと、それらのデータと駐車場の管理番号などは通信回線を通じて、駐車場システム管理会社のリモートサーバに保管されている。
【００１１】
しかしこのような中小規模の駐車場システムでは、空車室の数はデータとして持っているのに、通常は、満空の表示だけで、その数を積極的に表示する表示器はほとんど見られない。
【００１２】
また駐車場ではないが、市中の交差点では、歩行者にまもなく信号が切り替わることを知らせるため、青信号の残時間が少なくなると点滅したり、信号が切り替わるまでの時間を表示したりする信号機が普及して、大変便利である。
【考案の概要】
【考案が解決しようとする課題】
【００１３】
残車室数を知らせる前記先行技術の方法では、空車室があるとき空車表示と空車の数を並列に表示するため、表示装置がコスト高になる点や、空車室の割合を円グラフで表示する方法では、グラフ表示のコスト高の装置を使わなければならないといった欠点があった。
本考案は、一般の満空表示板を大きく変えることなく、簡単に低コストで空車室の残りが少なくなっていることを利用者に伝える方法を提供しようとするものである。
【課題を解決するための手段】
【００１４】
本考案は、中小規模の時間貸駐車場において、総車室数に対して空車室の数を算出し、残車室数の数をわかりやすく表示するために、総車室数に対して空車室数が一定限度より少なくなった時にその数に応じて従来の満空表示装置の空車表示の点滅間隔を短くするようにしたり、空車表示の脇に別途点滅灯を設置したりした。
【考案の効果】
【００１５】
本考案によれば従来の満車空車の表示装置はそのままにして、空室数が少なくなった時にその割合に応じて点滅させる回路を追加するだけで、空車室数が残り少なくなっていることを利用者に積極的に知らせることができ、利用者の不便を解消できる。しかも
低コストで実現することができる効果がある。
【図面の簡単な説明】
【００１６】
【図１】は、一般的な車室ごとに駐車車両検出機能を有する時間貸し駐車場のシステムを示す図である。
【図２】は、本考案の満車空車を表示するシステムを示す図である。
【図３】は、本考案の満車空車を表示する別のシステムを示す図である。
【図４】は、本考案の満車空車を表示するさらに別のシステムを示す図である。
【図５】は、本考案の満車空車を表示するさらに別のシステムを示す図である。
【図６】本考案の残空車数の数に応じて変化させる点滅間隔の例を示す図である。
【考案を実施するための形態】
【実施例１】
【００１７】
図１は、一般的なフラップ式の時間貸し駐車場の満空表示システムである。各車室には車両の入庫を検知する車両検出センサー２があり、入庫を検知すると端末装置３で検知信号に変換され、通信線４により、精算機５に該当車室への入庫を通知する。精算機５内のCPU（計算素子）は、常に総車室数から入庫した車室の数を引き算して、残車室数を計算している。
【００１８】
そして、残車室が、ゼロになると、満車扱いになり、満空表示板に「満」の表示６を行い、残車室数が例えば１以上あれば「空」の表示７を行う。この図では、二つの表示を書いたが、実際には同一の表示板の表示を「満」、又は「空」に表示するものである。
【００１９】
駐車場管理会社のリモートサーバ８には、通信回線９を通じて精算機内部のほぼすべてのデータが送信され、駐車場管理システムのデータベースに収納されている。
【００２０】
図２は、本考案の満空表示システムを示すものである。図１と同じように各車室に入庫した車両のデータを持つ精算機５は、残車室数がゼロの時は、従来と同様に「満」表示６をするが、残車室が１以上の場合は、D-PW変換器（デジタル−パルス変換器）１０により、残車室数の大小に応じて、異なったパルス間の信号を出力する。そして、出力信号はリレー装置１１に加えられ、リレー接点１２がオン、オフ動作を行う。リレー接点１２は、電源１３とつながっており、接点がオンでかつ残車室数が1以上の時、すなわちAND論理素子１４がANDの時のみ、「空」表示７を点滅して行う。
【実施例２】
【００２１】
図３は、本考案の別の実施例である。図２との違いは、残車室数が、通信回線２０を通して、駐車場管理会社のリモートサーバ８から、当該駐車場の受信装置２１に送信され、デジタルパルス変換器２２で残車室数に応じたパルス信号に変換される点である。そのあとは、図２の場合と同じようにして、「空」表示７の点滅間隔を変化させて、残車室の大小をドライバーに知らせることができる。
【実施例３】
【００２２】
図４は、精算機を使わずに残車室数に応じたパルス信号を発生できる回路を示す。個別の車室の車両検知センサーの出力接点３１は、抵抗３２に並列に接続される。抵抗３２は車室の数だけ直列に接続される。それに、抵抗３３が直列接続される。この直列抵抗回路は、電源３０につながれる。従って、抵抗３３の両端に現れる電圧は、車両検出センサー３１
が閉じている数に応じて変化する。アナログパルス変換装置３４は、抵抗３に加わる電圧によって、パルス間隔の異なるパルス電圧を発生する。そのパルス電圧は、リレー装置３５に入力され、その出力接点３６がオンで、かつ、精算機５が空車ありとなっている時に、「空」表示７が点灯する。
【実施例４】
【００２３】
以上の実施例では、残車室数に応じて「空」表示が点滅するものであったが、より簡単な実施例を図５に示す。ここでは、精算機からの残車室数を受けたデジタルパルス変換装置４０のパルス信号が、リレー装置４１に入り、その出力接点４２のオン、オフによって、点滅灯４４に電源４３から電圧が加えられ、残車室数に応じて点滅灯を点滅させる。
この実施例では、従来の満空表示６、７はそのままにして、その脇に新たに点滅灯を設けるだけで良いので、簡単である。
【実施例５】
【００２４】
図６は、残車室数の大小とパルス信号の関係を示す。残車室数が多い時には、パルス電圧がオンの時間が長く、少なくなるに従って、パルス信号の点滅間隔が短くなっている。
【００２５】
従って、図２から図５のいずれの実施例でも、残車室数が多い時には、「空」表示７はゆっくり点滅し、残車室数が少なくなると、点滅の間隔が短く、且つ点灯時間も短くなる。
【産業上の利用可能性】
【００２６】
本考案は、時間貸し駐車場の残車室数を空車表示の点滅間隔を変えることによって表示するもので、設備費が安価である上、既設の満空表示器を改造することも可能である。駐車場のユーザーにとっては、道路を走っている時に遠くからでも、空車室が多いか少ないかを容易に判断できる。特にグループで同じ駐車場を利用するような場合に、利用者にとって複数の車両を同じ駐車場に駐車できることが分かるなど大きな効果がある。
【符号の説明】
【００２７】
１  駐車場の車室        ２  車両検知センサー      ３  端末装置
４  通信線    ５  精算機      ６  「満」表示        ７  「空」表示
８  リモートサーバ（データベース）  ９  通信回線
１０  デジタルパルス変換装置    １１  リレー装置
１２  リレー接点        １３  電源          １４  AND論理素子
２０  通信回線    ２１  受信機    ２２  デジタルパルス変換装置
２３  リレー装置    ２４  電源    ２５  リレー接点    ２６  AND論理素子
３１  車両検知センサー出力接点    ３２    抵抗器    ３３  出力用抵抗
３４  アナログパルス変換装置      ３５  リレー装置    ３６  リレーの接点      
３７  電源      ３８  AND論理素子          ３９  「空」出力線
４０  デジタルパルス変換装置        ４１  リレー装置  
４２  リレー接点              ４３  電源    
４４  点滅灯          
【図１】
0003194204.tif 000003
【図２】
0003194204.tif 000004
【図３】
0003194204.tif 000005
【図４】
0003194204.tif 000006
【図５】
0003194204.tif 000007
【図６】
0003194204.tif 000008
【手続補正書】
【提出日】平成26年9月10日(2014.9.10)
【手続補正１】
【補正対象書類名】実用新案登録請求の範囲
【補正対象項目名】全文
【補正方法】変更
【補正の内容】
【実用新案登録請求の範囲】
【請求項１】
一定数の車室を有し、車室への入庫を検知する装置と、総車室数を記憶したデータ表と、総車室数から入庫した車室数を引いた残車室数を計算する機能を持った精算機と、満車と空車を表示する表示板を有する時間貸駐車場において、残車室数を表すデジタルデータ、あるいは残車室数で変化するアナログデータを、パルス変換装置とリレー装置によって残車室数によって変わるパルス幅やパルス間隔でオンオフする電圧に変化させ、該電圧によって満空表示板の空車表示を、残車室数に応じて点滅させることを特徴とした表示装置
【請求項２】
一定数の車室を有し、車室への入庫を検知する装置と、総車室数を記憶したデータ表と、総車室数から入庫した車室数を引いた残車室数を計算する機能を持った精算機と、満車と空車を表示する表示板を有する時間貸駐車場において、満空表示板の近傍に点滅灯を設け、残車室数を表すデジタルデータ、あるいは残車室数で変化するアナログデータを、パルス変換装置とリレー装置によって残車室数によって変わるパルス幅やパルス間隔でオンオフする電圧に変化させ、該電圧によって満空表示板の近傍に設けた点滅灯の点灯間隔を残車室数に応じて変化させることを特徴とした表示装置